(57)【要約】【課題】  電話機に着呼があったときに、当該電話機自体が近くに通話対象者（電話をとるべき人）がいるか否かの確認を簡単な構成により行うことができるようにする。【解決手段】  電話システム３は、電話機１と、通話対象者が携帯するタグ２とを備えており、前記電話機１には、前記タグ２と通信可能なリーダ６が設けられている。この電話機１の電話制御部５ａは、当該電話機１に着呼があったときに前記リーダ６に前記タグ２との通信を実行させて前記タグ２が当該電話機１近傍に存在するか否かを検知する制御を行ない、さらに、タグ存在検知結果が存在無しであるときに当該存在無しに応じた対応処理を行う。【選択図】  図１
2007060008.tif 000002
【特許請求の範囲】
【請求項１】
通話対象者が携帯するタグと通信可能なリーダと、
着呼があったときに前記リーダに前記タグとの通信を実行させて前記タグが近傍に存在するか否かを検知するタグ存在検知手段と、
このタグ存在検知手段によるタグ存在検知結果が存在無しであるときに当該存在無しに応じた対応処理を行う存在無し対応処理手段と
を備えたことを特徴とする電話機。
【請求項２】
請求項１に記載の電話機において、
前記存在無し対応処理手段が行う処理は、発呼元に通話対象者存在無しの通知を行う処理であることを特徴とする電話機。
【請求項３】
請求項１又は２に記載の電話機において、
前記タグ存在検知手段によるタグ存在検知結果が存在有りであるときに当該存在有りに応じた処理を行う存在有り対応処理手段を備えたことを特徴とする電話機。
【請求項４】
請求項３に記載の電話機において、
前記存在有り対応処理手段が行う処理は、発呼元に通話対象者存在有りの通知を行う処理であることを特徴とする電話機。
【請求項５】
請求項１ないし４のいずれかに記載の電話機において、
前記タグ存在検知手段は、着呼があった後、通話開始が所定時間以上無いことを条件に、前記リーダに前記タグとの通信を実行させて前記タグが当該電話機近傍に存在するか否かを検知することを特徴とする電話機。
【請求項６】
複数の電話機と、通話対象者が携帯するタグとを備えた電話システムであって、
前記複数の電話機には、外部から着呼を受ける第１の電話機と、この第１の電話機と通信手段を介して通信可能な第２の電話機とが含まれ、
前記第１の電話機には、
前記タグと通信可能な第１のリーダと、
当該第１の電話機に着呼があったときに前記第１のリーダに前記タグとの通信を実行させて前記タグが当該電話機近傍に存在するか否かを検知する第１のタグ存在検知手段と、
前記第１のタグ存在検知手段によるタグ存在検知結果が存在無しであるときに前記第２の電話機に前記通信手段を介してタグ存在問い合わせを送信するタグ存在問い合わせ手段と、
前記第２の電話機が応答したタグ存在検知結果に応じた処理を行う応答結果対応処理手段と、
を設け、
前記第２の電話機には、
前記タグと通信可能な第２のリーダと、
前記第１の電話機からタグ存在問い合わせを受信したときに前記第２のリーダに前記タグとの通信を実行させて前記タグが当該第２の電話機近傍に存在するか否かを検知する第２のタグ存在検知手段と、
この第２のタグ存在検知手段によるタグ存在検知結果を前記第１の電話機に前記通信手段を介して応答する応答制御手段と
を設けたことを特徴とする電話システム。
【請求項７】
請求項６に記載の電話システムにおいて、
前記応答制御手段が行う処理は、前記第２のタグ存在検知手段によるタグ存在検知結果が存在無しのときには発呼元に通話対象者存在無しの通知を行い、当該第２のタグ存在検知手段によるタグ存在検知結果が存在有りであるときには発呼元に通話対象者存在有りの通知を行う処理であることを特徴とする電話システム。
【請求項８】
請求項６又は７に記載の電話システムにおいて、
前記第１のタグ存在検知手段によるタグ存在検知結果が存在有りであるときに当該存在有りに応じた処理を行う第１の存在有り対応処理手段を備えたことを特徴とする電話システム。
【請求項９】
請求項８に記載の電話システムにおいて、
前記第１の存在有り対応処理手段が行う処理は、前記第１の電話機への着呼を継続することを行う処理であることを特徴とする電話システム。
【請求項１０】
請求項６ないし９のいずれかに記載の電話システムにおいて、
第１のタグ存在検知手段は、着呼があった後、通話開始が所定時間以上無いことを条件に、前記第1のリーダに前記タグとの通信を実行させて前記タグが第１の電話機近傍に存在するか否かを検知することを特徴とする電話システム。
【請求項１１】
請求項６に記載の電話システムにおいて、
第２の電話機は複数有り、
第１の電話機におけるタグ存在問い合わせ手段は、前記複数の第２の電話機に対するタグ存在問い合わせを、予め設定された優先順位に従って行うことを特徴とする電話システム。
【請求項１２】
請求項６に記載の電話システムにおいて、
第２の電話機は複数有り、且つ、複数の通話対象者が携帯する複数のタグが設けられ、
第１の電話機におけるタグ存在問い合わせ手段は、前記複数のタグに対して優先順位が設定され、且つ前記複数のタグごとに、前記複数の第２の電話機に対してタグ存在問い合わせの優先順位が設定され、
タグ存在問い合わせを、優先順位の高いタグから順に、該当する第２の電話機の優先順位に従って行うことを特徴とする電話システム。
【請求項１３】
電話機と、通話対象者が携帯するタグとを備えた電話システムであって、
前記電話機には、
前記タグと通信可能なリーダと、
当該電話機に着呼があったときに前記リーダに前記タグとの通信を実行させて前記タグが当該電話機近傍に存在するか否かを検知するタグ存在検知手段と、
このタグ存在検知手段によるタグ存在検知結果が存在無しであるときに当該存在無しに応じた対応処理を行う存在無し対応処理手段と
を設けたことを特徴とする電話システム。
【請求項１４】
請求項１３に記載の電話システムにおいて、
前記存在無し対応処理手段が行う処理は、発呼元に通話対象者無しの通知を行う処理であることを特徴とする電話システム。
【請求項１５】
請求項１３又は１４のいずれかに記載の電話システムにおいて、
前記タグ存在検知手段によるタグ存在検知結果が存在有りであるときに当該存在有りに応じた処理を行う存在有り対応処理手段を備えたことを特徴とする電話システム。
【請求項１６】
請求項１３に記載の電話システムにおいて、
前記存在有り対応処理手段が行う処理は、発呼元に通話対象者有りの通知を行う処理であることを特徴とする電話システム。
【請求項１７】
請求１３ないし１６のいずれかに記載の電話システムにおいて、
タグ存在検知手段は、着呼があった後、通話開始が所定時間以上無いことを条件に、前記リーダに前記タグとの通信を実行させて前記タグが当該電話機近傍に存在するか否かを検知することを特徴とする電話システム。
【発明の詳細な説明】
【技術分野】
【０００１】
本発明は、通話対象者の存在を確認する電話機及び電話システムに関する。
【背景技術】
【０００２】
従来、電話機に着呼があったとき、電話をとるべき人がその電話機の近くにいない場合には、着呼ベルが鳴り続ける不都合があった。また電話をかけた側（発呼元）においては、電話をとる人が居るのか居ないのか判らず、いつまでも待たされることがあった。なお、靴底にタグを設け、リーダを、複数の部屋のフロアーマットに設け、前記靴を履いたユーザーがそのフロアーマット上を歩くことによって、ユーザーの所在を監視し、その所在近くの電話機に電話を転送する技術が特許文献１に開示されている。
【特許文献１】特開平６−１３９４９０号公報
【発明の開示】
【発明が解決しようとする課題】
【０００３】
しかし、この特許文献１に記載された技術では、ユーザーの所在監視システムの構成が極めて大掛かりであった。
本発明は上述の事情に鑑みてなされたものであり、その目的は、電話機に着呼があったときに、当該電話機自体が近くに通話対象者（電話をとるべき人）がいるか否かの確認を簡単な構成により行うことができるようにすることにある。
【課題を解決するための手段】
【０００４】
請求項１の発明の電話機は、通話対象者が携帯するタグと通信可能なリーダと、着呼があったときに前記リーダに前記タグとの通信を実行させて前記タグが近傍に存在するか否かを検知するタグ存在検知手段と、このタグ存在検知手段によるタグ存在検知結果が存在無しであるときに当該存在無しに応じた対応処理を行う存在無し対応処理手段とを備えている。
【０００５】
この請求項１の電話機によれば、着呼があったときには、タグ存在検知手段が、リーダに通話対象者が携帯するタグと通信を実行させて、近傍に該タグが存在するか否かを検知する。これにより、大掛かりな構成とすることなく、通話対象者が当該電話機自身の近傍に居るか否かを電話機自身にて検知することができる。そして、存在無し対応処理手段が、タグ存在検知手段によるタグ存在検知結果が存在無しであるときに当該存在無しに応じた対応処理を行うから、通話対象者が当該電話機自身の近傍に居ないことに応じた処理が可能となる。
【０００６】
この場合、前記存在無し対応処理手段が行う処理は、発呼元に通話対象者存在無しの通知を行う処理としても良く（請求項２の発明）、このようにすれば、通話対象者が当該電話機自身近傍に居ないことを発呼元（電話をかけた側）に知らせることができ、便利である。
【０００７】
また、前記タグ存在検知手段によるタグ存在検知結果が存在有りであるときに当該存在有りに応じた処理を行う存在有り対応処理手段を備えても良く（請求項３の発明）、このようにすると、通話対象者が居ることに応じた種々の処理が可能となる。この場合、前記存在有り対応処理手段が行う処理は、発呼元に通話対象者存在有りの通知を行う処理であっても良く（請求項４の発明）、このようにすると、発呼元に、通話対象者が居ることを知らせることができて、便利である。
【０００８】
また、前記タグ存在検知手段は、着呼があった後、通話開始が所定時間以上無いことを条件に、前記リーダに前記タグとの通信を実行させて前記タグが近傍に存在するか否かを検知するようにしても良い（請求項５の発明）。通常、着呼があると、通話対象者が当該電話機自身の近くに居るとすぐに電話をとって通話開始となることが多い。このようなことを考慮すると、タグ存在検知手段による検知動作は着呼後すぐに行わなくても支障がないことが多い。この点に着目した請求項５の発明によれば、着呼があってから通話開始が所定時間以上無いことを条件にタグ存在検知手段が検知動作をするから、必要時期にタグ存在検知手段の検知動作を開始できる。
【０００９】
また、請求項６の発明の電話システムは、複数の電話機と、通話対象者が携帯するタグとを備えた電話システムであって、前記複数の電話機には、外部から着呼を受ける第１の電話機と、この第１の電話機と通信手段を介して通信可能な第２の電話機とが含まれ、前記第１の電話機には、前記タグと通信可能な第１のリーダと、当該第１の電話機に着呼があったときに前記第１のリーダに前記タグとの通信を実行させて前記タグが当該電話機近傍に存在するか否かを検知する第１のタグ存在検知手段と、前記第１のタグ存在検知手段によるタグ存在検知結果が存在無しであるときに前記第２の電話機に前記通信手段を介してタグ存在問い合わせを送信するタグ存在問い合わせ手段と、前記第２の電話機が応答したタグ存在検知結果に応じた処理を行う応答結果対応処理手段とを設け、前記第２の電話機には、前記タグと通信可能な第２のリーダと、前記第１の電話機からタグ存在問い合わせを受信したときに前記第２のリーダに前記タグとの通信を実行させて前記タグが当該第２の電話機近傍に存在するか否かを検知する第２のタグ存在検知手段と、この第２のタグ存在検知手段によるタグ存在検知結果を前記第１の電話機に前記通信手段を介して応答する応答制御手段とを設けたところに特徴を有する。
【００１０】
この請求項６の発明の電話システムにおいては、第１の電話機に着呼があったときには、当該第１の電話機の第１のタグ存在検知手段が、リーダに通話対象者が携帯するタグと通信を実行させて、近傍に該タグが存在するか否かを検知する。これにより、大掛かりな構成とすることなく、通話対象者が当該第１の電話機自身の近傍に居るか否かを電話機自身にて検知することができる。そして、当該第１の電話機自身において通話対象者を検知しないとき（存在無しのとき）には、タグ問い合わせ手段が、第２の電話機にタグ存在問い合わせをさせる。
【００１１】
そして、当該第２の電話機は上記タグ存在取り合わせを受けると、当該電話機の第２のタグ存在検知手段が、近傍に該タグが存在するか、つまり通話対象者が存在するかを検知する。従って、第１の電話機において通話対象者がいないことが検知されると、第２の電話機が通話対象者の存在検知を行なう。これによって、通話対象者の存在検知範囲を広域化できる。そして、前記第２のタグ存在検知手段によるタグ存在検知結果（通話対象者存在検知結果）は応答制御手段により第１の電話機に与えられ、この結果を受けた第１の電話機では、応答結果対応処理手段がそのタグ存在検知結果に応じた処理を行なうから、通話対象者の存在有り・無しに応じた処理が可能となる。
【００１２】
この場合、前記応答制御手段が行う処理は、前記第２のタグ存在検知手段によるタグ存在検知結果が存在無しのときには発呼元に通話対象者存在無しの通知を行い、当該第２のタグ存在検知手段によるタグ存在検知結果が存在有りであるときには発呼元に通話対象者存在有りの通知を行うことでも良い（請求項７の発明）。このようにすると、第１の電話機に発呼した発呼元（発呼者）に対して通話対象者の有無を知らせることができて、便利である。
【００１３】
また、前記第１のタグ存在検知手段によるタグ存在検知結果が存在有りであるときに当該存在有りに応じた処理を行う第１の存在有り対応処理手段を備える構成としても良く（請求項８の発明）、このようにすると、第１の電話機において通話対象者が居ることに応じた種々の処理が可能となる。この場合、前記第１の存在有り対応処理手段が行う処理は、前記第１の電話機への着呼を継続することを行う処理であっても良く（請求項９の発明）、この場合、当該第１の電話機の近くに居る通話対象者に対して、その着呼継続により電話に出ることを促すことができる。
【００１４】
またこの場合も、第１のタグ存在検知手段は、着呼があった後、通話開始が所定時間以上無いことを条件に、前記第1のリーダに前記タグとの通信を実行させて前記タグが第１の電話機近傍に存在するか否かを検知するようにしても良い（請求項１０の発明）。
【００１５】
また、第２の電話機を複数設け、第１の電話機におけるタグ存在問い合わせ手段が、前記複数の第２の電話機に対するタグ存在問い合わせを、予め設定された優先順位に従って行うようにしても良い（請求項１１の発明）。このようにすると、例えば通話対象者が電話をとる頻度の高い優先順位としておけば、第１の電話機の近傍に通話対象者が居ないような場合に、複数の第２の電話機に対して、電話をとる確率の高い順にタグ問い合わせを行なうことができる。
【００１６】
また、第２の電話機を複数設け、且つ、タグを複数の通話対象者が携帯するように設け、第１の電話機におけるタグ存在問い合わせ手段を、前記複数のタグに対して優先順位が設定し、且つ前記複数のタグごとに、前記複数の第２の電話機に対してタグ存在問い合わせの優先順位を設定し、タグ存在問い合わせを、優先順位の高いタグから順に、該当する第２の電話機の優先順位に従って行うようにしても良い（請求項１２の発明）。このようにすると、優先順位の高い通話対象者と優先順位の高い第２の電話機とを加味してタグ問い合わせができる。例えば、第１の電話機がほぼ特定の通話対象者専用であって別の通話対象者もその第１の電話機を使うような場合で、そして、複数の第２の電話機について、その特定通話対象者が電話に出る確率が異なるような場合に、第１の電話機において通話対象者が居ないことが検知されたときに、第１の電話機からの第２の電話機へのタグ問い合わせを、特定通話対象者が携帯するタグ（仮に優先順位１位）について、優先順位の高いほうの第２の電話機から行い、次に別の通話対象者が携帯するタグ（優先順位が２位）について、別に設定された優先順位の高いほうの第２の電話機から行なうようにすることも可能であり、第１の電話機の近くに通話対象者が居ないような場合に、複数の通話対象者の存在を複数の第２の電話機に対して効率的に検知することが可能となる。
【００１７】
また、電話システムは、一つの電話機と、通話対象者が携帯するタグとを備えたものでも良く、この場合、前記電話機には、前記タグと通信可能なリーダと、当該電話機に着呼があったときに前記リーダに前記タグとの通信を実行させて前記タグが当該電話機近傍に存在するか否かを検知するタグ存在検知手段と、このタグ存在検知手段によるタグ存在検知結果が存在無しであるときに当該存在無しに応じた対応処理を行う存在無し対応処理手段とを設ける構成としても良い（請求項１３の発明）。
【００１８】
この場合、前記存在無し対応処理手段が行う処理は、発呼元に通話対象者無しの通知を行う処理としても良い（請求項１４の発明）。また、前記タグ存在検知手段によるタグ存在検知結果が存在有りであるときに当該存在有りに応じた処理を行う存在有り対応処理手段を備える構成としても良い（請求項１５の発明）。また、前記存在有り対応処理手段が行う処理は、発呼元に通話対象者有りの通知を行う処理であっても良い（請求項１６の発明）。また、タグ存在検知手段は、着呼があった後、通話開始が所定時間以上無いことを条件に、前記リーダに前記タグとの通信を実行させて前記タグが当該電話機近傍に存在するか否かを検知するようにしても良い（請求項１７の発明）。
【発明を実施するための最良の形態】
【００１９】
以下、本発明の第１の実施例について図１ないし図３を参照して説明する。図１には、電話機１が１台でタグ２が一つの場合の電話システム３を示している。電話機１は図２にも示すように例えば携帯電話機からなる。またタグ２は通話対象者Ｍが携帯するものであり、名札４に組み込まれている。なお、本発明では、リーダと非接触通信可能なＩＣカードもタグに含むものとする。
【００２０】
前記電話機１は、電話部５と、リーダ６とを備えて構成されている。電話部５は、電話制御部５ａと、記憶部５ｂと、電話無線部５ｃとを有して構成されている。電話制御部５ａは、ＣＰＵや、ＲＯＭ、ＲＡＭを備えて構成されており、発呼元から電話基地局を介して電話無線部５ｃに着呼があると、図示しない報知手段（音出力手段や、表示手段或いはバイブレータなどを含む）に報知動作（呼出処理）をさせると共に、リーダ６を制御する。そして、この電話制御部５ａは、タグ存在検知手段及び存在無し対応処理手段並びに存在有り対応処理手段に相当する。前記記憶部５ｂには、個人電話番号や固有ＩＤ情報などの各種データが記憶されている。
【００２１】
リーダ６は、リーダ制御部６ａとリーダ通信部６ｂとを有して構成されている。このリーダ６は前記タグ２と非接触通信して該タグ２の固有ＩＤを読み込むものである。また、前記タグ２はタグ制御部２ａとタグ通信部２ｂとを有して構成されている。このタグ２はＲＦＩＤタグから構成され、固有ＩＤを有しており、前記リーダ６から問い合わせの通信（通信用信号及び電力供給信号の通信）があると、電力を生成して動作し、その固有ＩＤ情報を返信するようになっている。
【００２２】
さて、前記電話制御部５ａの制御内容（タグ存在検知手段及び存在無し対応処理手段並びに存在有り対応処理手段としての機能も含む）について、図３のフローチャートを参照して説明する。このフローチャートは、電話機１に着呼が有ったときにスタートする。着呼があると、前述した呼出処理を実行し（ステップＰ１）、通話対象者Ｍが通話開始ボタンをオンするといった通話開始トリガがあると（ステップＰ２の「ＹＥＳ」）、発呼元（電話をかけた側）に電話をつないで、通話制御を行なう（ステップＰ３）。この通話制御は周知のように、自身電話機１や発呼元が通話停止動作（通話停止ボタンオン或いは受話器を置く）をすることにより、終了する。
【００２３】
ステップＰ２で通話開始トリガがないままに所定時間が経過すると（ステップＰ４の「ＹＥＳ」）、リーダ６にタグ２との通信をさせて該タグ２が近傍に存在するか否かを検知する（タグ存在検知手段）。そして、ステップＰ６で、タグ２が電話機１の近傍にないときには（タグ２からの応答がないときには）、タグ存在無しに応じた存在無し対応処理（ステップＰ７）を実行する。この場合、発呼元に通話対象者無しの通知を電話基地局を介して行なう。
【００２４】
また、前述のステップＰ５のタグ存在検知において、タグ２と通信が確認されそして固有ＩＤが認証されると、前述のステップＰ６でタグ有りと判断される（ステップＰ６の「ＹＥＳ」）。すると、ステップＰ８でタグ有りに応じた存在有り対応処理を実行する。この場合、発呼元に、通話対象者存在有りの通知を行なう。この後通話開始トリガがあると（ステップＰ９）、通話制御を行なう（ステップＰ１０）。
【００２５】
このように本実施例によれば、電話機１に、着呼があったときには、当該電話機１における電話制御部５ａが、リーダ６に通話対象者が携帯するタグ２と通信を実行させて、近傍に該タグ２が存在するか否かを検知する。これにより、大掛かりな構成とすることなく、通話対象者が当該電話機１自身の近傍に居るか否かを電話機１自身にて検知することができる。そして、タグ存在検知結果が存在無しであるときに当該存在無しに応じた対応処理を行うから、通話対象者が当該電話機１自身の近傍に居ないことに応じた処理が可能となる。
【００２６】
この場合、本実施例によれば、前記存在無し応処理は、発呼元に通話対象者存在無しの通知を行う処理としたから、通話対象者が当該電話機１自身近傍に居ないことを発呼元に知らせることができ、便利である。
【００２７】
また、本実施例では、前記タグ存在検知結果が存在有りであるときに当該存在有りに応じた処理を行うようにしたから、通話対象者が居ることに応じた種々の処理が可能となる。この場合、前記存在有り対応処理は、発呼元に通話対象者存在有りの通知を行う処理であるから、発呼元に、通話対象者が居ることを知らせることができて、便利である。
【００２８】
また、本実施例によれば、着呼があった後、通話開始トリガ（通話開始）が所定時間以上無いことを条件に、前記リーダ６に前記タグ２との通信を実行させて前記タグ２が近傍に存在するか否かを検知するようにしたから、必要時期にタグ存在検知手段の検知動作を開始できる。
【００２９】
図４は本発明の第２の実施例を示しており、次の二つの点が第１の実施例と異なる。まず第１点目は、呼出処理（ステップＱ１）の後、直ちにタグ存在検知を開始し（ステップＱ２）、所定時間を経過してもタグ２の存在が検知されないとき（ステップＱ３、ステップＱ４）には、存在無し対応処理（ステップＱ５）を行なうようにしたことである。これにより、通話対象者が電話機１の近くに居るときには、直ちに存在有り対応処理を実行できる。また、第２点目は、存在有りが判断され且つ存在有り対応処理がなされても（ステップＱ３及びステップＱ６）、所定時間を待って通話開始トリガが無いときには（ステップＱ７、ステップＱ８）、存在無し対応処理（ステップＱ９）を行なうことである。これにより、通話対象者が近くに居ても出られないような場合に、ステップＱ９の存在無し対応処理により発呼元に不在通知を出すことが可能となり、便利となる。
【００３０】
次に図５ないし図８は本発明の第３の実施例を示しており、この第３の実施例の電話システム１１は、第１の実施例における電話機１及びタグ２の他に、別の電話機１２を備えた構成であり、この電話機１２はリーダを備えていない。この第３の実施例において電話機１の制御内容（図７参照）は、第１の実施例における制御内容（図３参照）とはステップＰ７´が異なる。すなわち、第１の実施例では、タグ２の存在無しが検知されると、存在無し対応処理として発呼元に不在通知を行なうものであったが、この第３の実施例では、電話機１には、転送先として前記別の電話機１２が予め登録されており、前記別の電話機１２に着呼を転送するようにしている。そして、この別の電話機１２では、図８に示すように、転送が有ると、呼出処理を行い（ステップＲ１）、所定時間が経過する間に通話開始トリガが有れば（ステップＲ２、ステップＲ３）、通話制御を実行し（ステップＲ５）、通話開始トリガが無ければ、不在処理（ステップＲ４）を実行する。この不在処理は、例えば発呼元に通話対象者存在無しを通知する。この第３の実施例によれば、電話機１において通話対象者存在無しが検知されると、別の電話機１２に着呼を転送でき、便利である。
【００３１】
図９は本発明の第４の実施例を示しており、この第４の実施例に示す電話システム２１は、第１の電話機２２と、第２の電話機２３と、タグ２とを備えている。第１の電話機２２は、外部から着呼を受けるものとして使用されており、第２の電話機２３は、この第１の電話機２２と通信手段たる電話無線部２６ｃ、２４ｃを介して通信可能である。前記第１の電話機２２は、電話部２４と、前記タグ２と通信可能な第１のリーダ２５とを備えている。電話部２４は電話制御部２４ａ、記憶部２４ｂ及び電話通信部２４ｃ（第１の実施例の電話制御部５ａ、記憶部５ｂ及び電話通信部５ｃとほぼ同じ機能）を備え、但し、電話制御部２４ａの制御内容は前記電話制御部５ａと若干異なる。第１のリーダ２５は、リーダ制御部２５ａ及びリーダ通信部２５ｂ（前記第１の実施例のリーダ制御部６ａ及びリーダ通信部６ｂと同じ機能）を備えている。
【００３２】
第２の電話機２３は、電話部２６と、前記タグ２と通信可能な第２のリーダ２７とを備えている。電話部２６は電話制御部２６ａ、記憶部２６ｂ及び電話通信部２６ｃ（前記第１の電話機２２の電話制御部２４ａ、記憶部２４ｂ及び電話通信部２４ｃとほぼ同じ機能）を備え、但し、電話制御部２６ａの制御内容は前記電話制御部２４ａと若干異なる。第２のリーダ２７は、リーダ制御部２７ａ及びリーダ通信部２７ｂ（前記第１の実施例のリーダ制御部６ａ及びリーダ通信部６ｂと同じ機能）を備えている。
【００３３】
第１の電話機２２の電話制御部２４ａは、第１のタグ存在検知手段、タグ存在問い合わせ手段、応答結果対応処理手段及び第１の存在有り対応処理手段として機能するものであり、また、第２の電話機２３の電話制御部２６ａは、第２のタグ存在検知手段及び応答制御手段として機能するものであり、これら電話制御部２４ａ及び２６ａの制御内容について図１１及び図１２を参照して説明する。
【００３４】
図１１には第１の電話機２２の電話制御部２４ａの制御内容を示し、図１２には第２の電話機２３の電話制御部２６ａの制御内容を示している。まず第１の電話機２２に図示しない他の電話機から着呼があると、図１１に示すように、呼出処理を実行し（ステップＳ１）、通話開始トリガがあると（ステップＳ２の「ＹＥＳ」）、発呼元（電話をかけた側）に電話をつないで、通話制御を行なう（ステップＳ３）。
【００３５】
ステップＳ２で通話開始トリガがないままに所定時間が経過すると（ステップＳ４の「ＹＥＳ」）、ステップＳ５で、第１のリーダ２５にタグ２との通信をさせて該タグ２が近傍に存在するか否かを検知する（第１のタグ存在検知手段）。そして、ステップＳ６で、タグ２が電話機１の近傍にないときには（タグ２からの応答がないときには）、ステップＳ７で前記第２の電話機２３にタグ存在問い合わせを送信する（タグ存在問い合わせ手段）。そして、ステップＳ８で第２の電話機２３からの応答を待つ。
【００３６】
ここで、第２の電話機２３は第１の電話機２２側から、上述のタグ取り合わせがあると、第２の電話機２３においては、図１２のフローチャート（詳細については後述する）のステップＴ３（存在無し通知）あるいはステップＴ４（存在有り通知）を応答する。
【００３７】
そして、この応答があると（ステップＳ８で判断）、この応答結果（ステップＳ９で判断）に基づいて、ステップＳ１０、ステップＳ１１でこの応答結果対応処理を実行する（応答結果対応処理手段）。この応答結果対応処理は、第２の電話機２３からの応答結果がタグ有りのときにはステップＳ１０で着呼を第２の電話機２３に転送することを行ない、タグ無しのときには、ステップＳ１１で、適宜の不在処理を行なう。
【００３８】
前記ステップＳ６でタグ有りが判断されると、着呼を継続し、この場合呼出処理を継続し（第１の存在有り対応処理手段）（ステップＳ１２）、通話開始トリガがあると（ステップＳ１３）、前述の通話制御を行なう（ステップＳ３）。
【００３９】
前記ステップＳ７で前記第２の電話機２３にタグ存在問い合わせが送信されると、第２の電話機２３がその問い合わせを受けて電話制御部２６ａが図１２のフローチャートを実行する。ステップＴ１で第２のリーダ２７にタグ２との通信をさせて該タグ２が近傍に存在するか否かを検知する（第２のタグ存在検知手段）。そして、ステップＴ２で、タグ２が電話機１の近傍にないときには（タグ２からの応答がないときには）、ステップＴ３でこのタグ存在検知結果を前記第１の電話機２２に応答し（応答制御手段）、またタグ２が電話機１の近傍にあるときにはステップＴ４でこのタグ存在検知結果を第１の電話機２２に応答する（応答制御手段）。
【００４０】
このステップＴ４の後は、ステップＴ５第１の電話機２２からの着呼の転送（図１１のステップＳ１０）を待ち、転送が有ると、呼出処理を行い（ステップＴ６）、通話開始トリガがあると（ステップＴ７）、通話制御を行なう（ステップＴ８）。
【００４１】
この第４の実施例によれば、第１の電話機２２に着呼があったときには、当該第１の電話機２２において、近傍にタグ２が存在するか否かを検知する。これにより、大掛かりな構成とすることなく、通話対象者が当該第１の電話機２２自身の近傍に居るか否かを電話機自身にて検知することができる。そして、当該第１の電話機２２において通話対象者がいないことが検知されると、第２の電話機２３が通話対象者の存在検知を行なう構成としたから、通話対象者の存在検知範囲を広域化できる。また、第２の電話機２３でのタグ存在検知結果（通話対象者存在検知結果）は該第１の電話機２２に与えられ、この結果を受けた第１の電話機２２では、そのタグ存在検知結果に応じた処理を行なうから、通話対象者の存在有り・無しに応じた処理が可能となる。
【００４２】
この場合、タグの存在有り対応処理として、第１の電話機２２への着呼を継続（呼出処理継続）することを行うから、当該第１の電話機２２の近くに居る通話対象者に対して、その着呼継続により電話に出ることを促すことができる。
【００４３】
なお、この第４の実施例において、応答制御処理である前記ステップＴ３では、応答内容として発呼元に通話対象者存在無しの通知を行い、同じく応答制御処理であるステップＴ４では応答内容として発呼元に通話対象者存在有りの通知を行うようにしても良い。このようにすると、第１の電話機２２に発呼した発呼元（発呼者）に対して第２の電話機２３により通話対象者の有無を知らせることができて、便利である。
【００４４】
図１３ないし図１８は本発明の第５の実施例を示しており、この第５の実施例では、第２の電話機を複数備え、又タグも複数備えた電話システム３１である点が第４の実施例と異なる。この電話システム３１では、第１の電話機２２に対して複数この場合２台の第２の電話機２３Ａと、第２の電話機２３Ｂとが設けられ、そしてタグとしてタグ２Ａ、２Ｂが設けられている。タグ２Ａは、第１の電話機２２を主に使用する通話対象者Ｍ１が携帯し、別のタグ２Ｂは、別の通話対象者Ｍ２が携帯している。前記第４の実施例と異なる部分につき説明する。図１５は第１の電話機２２の電話制御部２４ａの制御内容のフローチャートを示している。図１６は第２の電話機２３Ａ及び２３Ｂの電話部２６の制御内容のフローチャートを示している。図１５のフローチャートにおいて、ステップＵ６では、タグ２Ａの存在を検知し、タグＡ有りが検知されると、ステップＵ１４、ステップＵ１５、ステップＵ３（第４の実施例のステップＳ１２、ステップＳ１３、ステップＳ３と同じ内容である）を実行する。ステップＵ７にてタグＡの存在有りが検知されない場合（ステップＵ７「ＮＯ」）、タグ２Ａ、２Ｂの優先順位及び電話機２３Ａ、２３Ｂの優先順位に従ってタグ問い合わせを行なう（ステップＵ８）。
【００４５】
この優先順位は、第１の電話機２２に図１７に示す順位で設定されている。ずなわち、優先順位「１」はタグ２Ａの存在を一方の第２の電話機２３Ａに問い合わせる、優先順位「２」はタグ２Ａの存在を他方の第２の電話機２３Ｂに問い合わせる、優先順位「３」はタグ２Ｂの存在を他方の第２の電話機２３Ｂに問い合わせる、優先順位「４」はタグ２Ｂの存在を一方の第２の電話機２３Ａに問い合わせる、というものである。この優先順位はタグ２Ａ（一方の通話対象者Ｍ１）における使用頻度の高い電話機を考慮し、また、タグ２Ｂ（他方の通話対象者Ｍ２）における使用頻度の高い電話機を考慮して設定すると良い。
【００４６】
ステップＵ９では優先順位で問い合わせられた第２の電話機２３Ａあるいは２３Ｂからの応答を待つ。応答があれば、タグ存在有りか否かを判断し（ステップＵ１０）、タグ存在がなければ、ステップＵ１１で次の優先順位が有るか否かを判断し、有れば、再度ステップＵ８に移行して次の優先順位に従って問い合わせをする。このようにして、一通り、優先順位に従って問い合わせをして、タグ存在無しであった場合（ステップＵ１１の「ＮＯ」）に不在処理を行なう（ステップＵ１２）。なお、優先順位に従って問い合わせをして、タグ存在無しであった場合のシーケンスを図１８に示している。
【００４７】
上記ステップＵ１０において、タグ存在有りが判断されると当該電話機に対して着呼転送を行なう（ステップＵ１３）。
なお、第２の電話機２３Ａ、２３Ｂ側では、第１の電話機２２からの問い合わせが有った時には、図１６に示したように制御動作する（第４の実施例の制御動作と同様である）。但し、ステップＶ２では、優先順位で指定されたタグについてその存在を検知するものである。
【００４８】
なお、この場合、第２の電話機２３Ａ、２３Ｂについて、それぞれ、第１の電話機２２と同様の機能を付加しても良く、この場合、着呼が有った電話機が第１の電話機として機能するものであり、タグ及び第２の電話機の問い合わせの優先順位も適宜変更すれば良い。
【００４９】
上述した第５の実施例によれば、前記複数の第２の電話機２３Ａ、２３Ｂに対するタグ存在問い合わせを、予め設定された優先順位に従って行うようにしたから、例えば通話対象者が電話をとる頻度の高い優先順位としておけば、第１の電話機２２の近傍に通話対象者が居ないような場合に、複数の第２の電話機２３Ａ、２３Ｂに対して、電話をとる確率の高い順にタグ問い合わせを行なうことができる。
【００５０】
また、この第５の実施例によれば、複数の通話対象者が携帯する複数のタグ２Ａ、２Ｂを備え、第１の電話機２２におけるタグ存在問い合わせのために、当該複数のタグ２Ａ、２Ｂに対して優先順位を設定し、且つ前記複数のタグ２Ａ、２Ｂごとに、前記複数の第２の電話機２３Ａ、２３Ｂに対してタグ存在問い合わせの優先順位を設定し、当該タグ存在問い合わせを、優先順位の高いタグから順に、該当する第２の電話機の優先順位に従って行うようにしたから、優先順位の高い通話対象者と優先順位の高い第２の電話機とを加味してタグ問い合わせができる。
【００５１】
なお、本発明の実施例は上述した各実施例に限定されるものではなく、次のように変更しても良い。例えば、電話機は固定電話機でも良い。また、タグ存在無しに応じた存在無し対応処理は、発呼元に通話対象者無しの通知以外に、留守録メッセージを案内するようにしても良い。また、タグは名札に組み込まずに、従業員証などに組み込んでも良い。また、図７のステップＰ９、図１２のステップＴ７、図１５のステップＵ１５、図１６のステップＶ７では、単に通話開始トリガを待機するようにしたが、これは、図４のステップＱ７、ステップＱ８、ステップＱ９のように所定時間経過しても通話開始トリガが無いときには存在無し対応処理を行なうようにしても良い。また、リーダはリーダライタでも良い。
【図面の簡単な説明】
【００５２】
【図１】本発明の第１の実施例を示す電話システムの電気的構成のブロック図
【図２】電話機及びタグを示すための概観図
【図３】制御内容を示すフローチャート
【図４】本発明の第２の実施例を示す図３相当図
【図５】本発明の第３の実施例を示す図１相当図
【図６】図２相当図
【図７】図３相当図
【図８】図３相当図
【図９】本発明の第４の実施例を示す図１相当図
【図１０】図２相当図
【図１１】図３相当図
【図１２】図３相当図
【図１３】本発明の第５の実施例を示す図１相当図
【図１４】図２相当図
【図１５】図３相当図
【図１６】図３相当図
【図１７】優先順位を示す図
【図１８】作用説明のためのシーケンス図
【符号の説明】
【００５３】
図面中、１は電話機、２はタグ、３は電話システム、５ａは電話制御部（タグ存在検知手段、存在無し対応処理手段、存在有り対応処理手段）、２１は電話システム、２２は第１の電話機、２３は第２の電話機、２４ａは電話制御部（第１のタグ存在検知手段、タグ存在問い合わせ手段、応答結果対応処理手段、第１の存在有り対応処理手段）、２５は第１のリーダ、２６ａは電話制御部（第２のタグ存在検知手段、応答制御手段）２７は第２のリーダ、２Ａ、２Ｂはタグ、２３Ａは第２の電話機、２３Ｂは第２の電話機を示す。
【図１】
2007060008.tif 000003
【図２】
2007060008.tif 000004
【図３】
2007060008.tif 000005
【図４】
2007060008.tif 000006
【図５】
2007060008.tif 000007
【図６】
2007060008.tif 000008
【図７】
2007060008.tif 000009
【図８】
2007060008.tif 000010
【図９】
2007060008.tif 000011
【図１０】
2007060008.tif 000012
【図１１】
2007060008.tif 000013
【図１２】
2007060008.tif 000014
【図１３】
2007060008.tif 000015
【図１４】
2007060008.tif 000016
【図１５】
2007060008.tif 000017
【図１６】
2007060008.tif 000018
【図１７】
2007060008.tif 000019
【図１８】
2007060008.tif 000020